(57)【要約】【課題】ホストコンピュータと通信可能に接続された装置が、オンライン状態にあるかオフライン状態にあるかにかかわらず、ホストコンピュータからの指示に応じて優先的に音を発生することができるようにする。【解決手段】小切手Ｓが搬送される搬送路２ｃと、搬送路２ｃ上に設置された画像読取装置１１,１２及び磁気インク文字読み取り装置１３と、を備え、ホストコンピュータ３０の指示に応じて小切手Ｓを搬送し読み取り処理を実行する複合処理装置２０であって、受信バッファ２３に受信したコマンドを解析し処理するコマンド解析部２４と、特定の文字列を含む特殊コマンドだけを受信バッファ２３に受信する前に解析し処理する特殊コマンド解析部２２と、特殊コマンド解析部２３が特殊コマンドを解析し音発生コマンドであると判断すると、音を発生させる音発生部２５と、を有することを特徴とする。【選択図】図２
2010231816.tif 000002
【特許請求の範囲】
【請求項１】
処理媒体が搬送される搬送路と、前記搬送路上に設置され前記処理媒体が有する情報を
読み取る情報読み取り部と、を備え、ホストコンピュータの指示に応じて前記処理媒体を
搬送し読み取り処理を実行する複合処理装置であって、
受信バッファに受信したコマンドを解析し処理するコマンド解析部と、
特定の文字列を含む特殊コマンドだけを前記受信バッファに受信する前に解析し処理す
る特殊コマンド解析部と、
前記特殊コマンド解析部が前記特殊コマンドを解析し音発生コマンドであると判断する
と、音を発生させる音発生部と、を有することを特徴とする複合処理装置。
【請求項２】
前記ホストコンピュータへ送信するステータス情報を生成するステータス情報生成部を
有し、
前記特殊コマンド解析部は、前記ステータス情報生成部が生成したステータス情報に応
じてホストコンピュータから送信される前記特殊コマンドを解析することを特徴とする請
求項１に記載の複合処理装置。
【請求項３】
処理媒体が搬送される搬送路と、前記搬送路上に設置され前記処理媒体が有する情報を
読み取る情報読み取り部と、を備え、ホストコンピュータの指示に応じて前記処理媒体を
搬送し読み取り処理を実行する複合処理装置と、前記ホストコンピュータと、を有する複
合処理システムであって、
前記複合処理装置は、
受信バッファに受信したコマンドを解析し処理するコマンド解析部と、
特定の文字列を含む特殊コマンドだけを前記受信バッファに受信する前に解析し処理す
る特殊コマンド解析部と、
前記特殊コマンド解析部が前記特殊コマンドを解析し音発生コマンドであると判断する
と、音を発生させる音発生部と、を有することを特徴とする複合処理システム。
【請求項４】
処理媒体が搬送される搬送路と、前記搬送路上に設置され前記処理媒体が有する情報を
読み取る情報読み取り部と、を備え、ホストコンピュータの指示に応じて前記処理媒体を
搬送し読み取り処理を実行する複合処理装置と、前記ホストコンピュータと、を有する複
合処理システムの制御方法であって、
ステータス情報を生成して前記ホストコンピュータへ送信するステップと、
前記ステータス情報に応じて特定の文字列を含む特殊コマンドを生成し、前記複合処理
装置へ送信するステップと、
前記特殊コマンドを解析して音発生コマンドであると判断すると、音を発生させる音発
生ステップと、を有することを特徴とする複合処理システムの制御方法。
【発明の詳細な説明】
【技術分野】
【０００１】
本発明は、複合処理装置、複合処理システム及び複合処理システムの制御方法に関する
。
【背景技術】
【０００２】
ホストコンピュータから受信したデータを解釈して所定の印刷処理を実行する周辺装置
において、周辺装置の状況に応じて音を発生する機能を有するものが提案されている。例
えば特許文献１には、プリンタの状態やその変化を音で知らせることにより、プリンタの
印刷状態を判断認識することができる発明が提案されている。
【０００３】
特許文献１に記載のプリンタによれば、ある判定条件を満たす状態がプリンタに発生し
た場合、その状態を音として通知するか否かの判定を行う。判定条件は手動操作パネルや
ホストコンピュータからのコマンドで選択指定されたものであり、判定条件に応じてブザ
ー通知の有効性を予め設定しておく。例えば、ホストコンピュータからのコマンドによっ
て、プリンタがオフライン状態になるとブザーを発生するよう設定されているとする。こ
の場合、プリンタがオフライン状態になると、オフライン音の発生機能が有効か否かを判
断し、有効であれば所定の音のブザーが鳴るよう構成されている。つまり、プリンタは、
自身の状態を認識し、各状態に応じて予め設定された条件にしたがいブザー音を発生する
ことができる。
【０００４】
ところで近年、小切手処理の効率化を図るために、小切手を電磁的に読み込む試みが始
められている。この一環として小切手の電磁的読み込み作業を銀行の窓口で行おうとする
試みも始められてきており、窓口に設置可能な小型の小切手処理装置が提案されている。
【０００５】
この処理装置には、小切手搬送路上に磁気インク読み込み装置、スキャナが備えられて
いる。顧客から小切手を受け取った銀行員が、小切手を処理装置に通すと、処理装置は、
小切手上に記録された磁気インク文字や小切手上の画像を読み込み、また小切手に裏書を
行うように構成されている。読み込まれた磁気文字情報や画像情報は、ホストコンピュー
タへ送信される。ホストコンピュータは、受信した磁気文字情報及び画像情報が正しく読
み込まれているかを照合し、照合結果に基づき、次の処理を指示するコマンドを小切手処
理装置に送信する（特許文献２参照）。
【０００６】
このように、小切手処理装置では、ホストコンピュータから送信された読み取りコマン
ドに応じてデータ読み取り処理を行い、読み取り情報をホストコンピュータへ送信するだ
けである。基本的に、小切手処理装置はホストコンピュータのコマンドに応じた処理を行
うだけで、高度な処理能力を伴う認証処理等についてはホストコンピュータへ任せるよう
構成されている。これにより、小切手処理装置による、読み取り処理の高速化を図ってい
る。
【０００７】
ここで、特許文献２に記載の技術に特許文献１に記載の技術を採用して、小切手読み取
り結果に応じてブザー音を発生させようとすることも考えられる。例えば、読み取り処理
に失敗した場合に、ブザー音を発生させれば読み取り処理が失敗したことを音によってオ
ペレータに認識させることができる。
【０００８】
ところが、特許文献２に記載の小切手処理装置は、読み取り情報の認証処理を行わない
ため認証結果に基づいてブザー音を鳴らすことを単体で行うことができない。つまり、ホ
ストコンピュータが認証処理を行って、認証結果に応じた処理を実行するよう指示するコ
マンド（ブザーを発生させるコマンド）を受け付けない限り、小切手処理装置は自らブザ
ー音を発生させることができない。
【０００９】
このように別途、ブザー音を発生させるコマンドを用意すれば、小切手処理装置はあら
ゆる状態においてブザー音を発生させることが可能である。
【先行技術文献】
【特許文献】
【００１０】
【特許文献１】特開平０７−１７２０３２号公報
【特許文献２】特開２００５−１４９０１３号公報
【発明の概要】
【発明が解決しようとする課題】
【００１１】
しかしながら通常、ホストコンピュータから送信されるコマンドは、オンライン状態で
受け付けられ、受信した装置側でコマンド解析した結果、解析結果に応じた処理が実行さ
れる。逆にいうと、オフライン状態ではコマンドを解析しないため、コマンドに応じた処
理を実行することは不可能である。また、オンライン状態のときでも受信バッファに大量
のデータが蓄積していると、優先して実行したいコマンドでも順次処理されるため、リア
ルタイムにブザーを鳴動させることができない場合もある。
【００１２】
ここでいう「オフライン状態」とは、ホストコンピュータからデータが送信されると、
そのデータは受信バッファに受信されるが、受信したコマンドの解析を行うことなく何の
処理動作も行わない状態をいう。具体的には、紙ジャムエラーや紙経路カバーオープン等
が発生した場合にオフライン状態に陥る。
【００１３】
本発明は、上記課題を解決するためになされたものであり、ホストコンピュータと通信
可能に接続された装置が、オンライン状態にあるかオフライン状態にあるかにかかわらず
、ホストコンピュータからの指示があると優先的に音を発生することができるようにする
ことを目的とする。
【課題を解決するための手段】
【００１４】
上記課題を解決することのできる本発明は、処理媒体が搬送される搬送路と、前記搬送
路上に設置され前記処理媒体が有する情報を読み取る情報読み取り部と、を備え、ホスト
コンピュータの指示に応じて前記処理媒体を搬送し読み取り処理を実行する複合処理装置
であって、
受信バッファに受信したコマンドを解析し処理するコマンド解析部と、
特定の文字列を含む特殊コマンドだけを前記受信バッファに受信する前に解析し処理す
る特殊コマンド解析部と、
前記特殊コマンド解析部が前記特殊コマンドを解析し音発生コマンドであると判断する
と、音を発生させる音発生部と、を有することを特徴とする。
【００１５】
また、上記課題を解決することのできる本発明は、処理媒体が搬送される搬送路と、前
記搬送路上に設置され前記処理媒体が有する情報を読み取る情報読み取り部と、を備え、
ホストコンピュータの指示に応じて前記処理媒体を搬送し読み取り処理を実行する複合処
理装置と、前記ホストコンピュータと、を有する複合処理システムであって、
前記複合処理装置は、
受信バッファに受信したコマンドを解析し処理するコマンド解析部と、
特定の文字列を含む特殊コマンドだけを前記受信バッファに受信する前に解析し処理す
る特殊コマンド解析部と、
前記特殊コマンド解析部が前記特殊コマンドを解析し音発生コマンドであると判断する
と、音を発生させる音発生部と、を有することを特徴とする。
【００１６】
上記構成によれば、特定の文字列を含む特殊コマンドは、受信バッファに格納される前
に特殊コマンド解析部によって解析され処理される。一方、通常のコマンドやデータは、
一度受信バッファに格納されてからコマンド解析部によって解析し処理される。通常、コ
マンド解析部は受信バッファにコマンド及びデータを受信した順に解析し処理するため、
特定のコマンドだけを優先して実行することはない。この点、本発明においては、特殊コ
マンドは受信バッファに格納される前に実行されるので、その特殊コマンドは通常のコマ
ンドよりも優先して実行される。つまり、特殊コマンド解析部は、オフライン状態であっ
てもオンライン状態であっても特殊コマンドであれば、優先して実行する。したがって、
その特殊コマンドが音発生コマンドであれば、通常処理よりも優先して音を発生させるこ
とができる。
【００１７】
また本発明の複合処理装置は、前記ホストコンピュータへ送信するステータス情報を生
成するステータス情報生成部を有し、
前記特殊コマンド解析部は、前記ステータス情報生成部が生成したステータス情報に応
じてホストコンピュータから送信される前記特殊コマンドを解析することを特徴とする。
【００１８】
上記構成によれば、特殊コマンドはステータス情報生成部によって生成されたステータ
ス情報に応じてホストコンピュータで生成され送信される。一度、音発生コマンドに応じ
て音を発生しても、その後、複合処理装置のステータスに変化が生じてステータス情報が
生成され、それがホストコンピュータへ送信されれば、ホストコンピュータは再び音発生
コマンドを生成して複合処理装置へ送信する。このため、オフライン状態であってもオン
ライン状態であっても、繰り返し音を発生させることが可能である。
【００１９】
また、上記課題を解決することのできる本発明は、処理媒体が搬送される搬送路と、前
記搬送路上に設置され前記処理媒体が有する情報を読み取る情報読み取り部と、を備え、
ホストコンピュータの指示に応じて前記処理媒体を搬送し読み取り処理を実行する複合処
理装置と、前記ホストコンピュータと、を有する複合処理システムの制御方法であって、
ステータス情報を生成して前記ホストコンピュータへ送信するステップと、
前記ステータス情報に応じて特定の文字列を含む特殊コマンドを生成し、前記複合処理
装置へ送信するステップと、
前記特殊コマンドを解析して音発生コマンドであると判断すると、音を発生させる音発
生ステップと、を有することを特徴とする。
【００２０】
上記構成によれば、一度オフライン状態になって音発生コマンドに応じて音を発生して
も、その後、複合処理装置のステータスに変化が生じればステータス情報を生成し、それ
をホストコンピュータへ送信すれば、ホストコンピュータは再び音発生コマンドを生成し
て複合処理装置へ送信する。このため、複合処理装置はオフライン状態であってもオンラ
イン状態であっても繰り返し音を発生させることが可能である。
【図面の簡単な説明】
【００２１】
【図１】本発明のプログラム書き換え装置の一実施形態であるプリンタの内部構成を示した図である。
【図２】複合処理システムの内部処理を示す機能ブロック図である。
【図３】ブザー音発生処理を説明するためのフローチャートである。
【発明を実施するための形態】
【００２２】
以下、本発明に係る実施形態について図面を参照して詳細に説明する。なお、本実施形
態では、本発明に係る情報読取装置の一例として、ホストコンピュータと、ホストコンピ
ュータからの指示に応じて読み取り処理を実行する複合処理装置と、から構成される複合
処理システムを挙げて説明する。図１は、本発明の一実施形態に係る複合処理システムを
構成する複合処理装置の用紙搬送路を示す模式図である。
（複合処理装置の機械的構成について）
図１に示すように本実施形態に係る複合処理装置１は、給紙部であるＡＳＦ（Auto She
et Feeder:オートシートフィーダ）３に装填される小切手等の単票用紙（搬送媒体）を筐
体に形成された用紙搬送路２に沿って搬送しながら、単票用紙上の両面画像の読み取り、
単票用紙上の磁気インク文字の読み取りを実行可能に構成されている。
【００２３】
小切手Ｓの用紙搬送路２は略Ｕ字型形状を有しており、Ｕ字の底の部分に相当する部位
が中間搬送路Ｍとなっている。この中間搬送路Ｍには、各種読取装置が設けられている。
用紙搬送路２は、外側ガイド２ａと内側ガイド２ｂとの間に画成された搬送部２ｃによっ
て構成されており、この搬送部２ｃに沿って小切手Ｓは搬送される。
【００２４】
用紙搬送路２の上流側に、複数の小切手Ｓを装填可能なＡＳＦ３が設けられている。複
数の小切手Ｓは、矢印Ａの方向からＡＳＦ３を介して用紙搬送路２に挿入される。ＡＳＦ
３に装填された複数の小切手Ｓは、一枚ずつ分離されて用紙搬送路２内に送り出される。
【００２５】
用紙搬送路２には、小切手Ｓの搬送を行う搬送手段として、中間搬送路Ｍの上流側に用
紙搬送ローラ６と、中間搬送路Ｍ中に中間搬送ローラ１６と、中間搬送路Ｍの下流側に第
２搬送ローラ７と、排出口４の手前に排出ローラ８が設けられている。用紙搬送ローラ６
は、駆動ローラ６ａと、用紙搬送路２を介して駆動ローラ６ａに対向配置された押し付け
ローラ６ｂとを有している。また、第２搬送ローラ７は、駆動ローラ７ａと、用紙搬送路
２を介して駆動ローラ７ａに対向配置された押し付けローラ７ｂとを有している。中間搬
送ローラ１６は、用紙搬送路２の下方に配置された下部押えローラ１６ａと、下部押えロ
ーラ１６ａの上方に配置された上部押えローラ１６ｂと、中間搬送路Ｍを介して上部押え
ローラ１６ａ及び下部押えローラ１６ｂと対向配置された駆動ローラ１７とを有している
。
【００２６】
ＡＳＦ３から用紙搬送路２内に送り出された小切手Ｓは、用紙搬送ローラ６、中間搬送
ローラ１６、ならびに第２搬送ローラ７によって中間搬送路Ｍ内を搬送され、排出ローラ
８により矢印Ｂの方向へ排出口４から排出される。
【００２７】
中間搬送路Ｍには、画像読み取りを行う用紙の画像読取装置１１および第２の画像読取
装置１２がそれぞれ中間搬送路Ｍの両側に搬送方向にずれた状態で設置されている。用紙
の画像読取装置１１および第２の画像読取装置１２は、それぞれＣＩＳ(Contact Image S
ensor)タイプのスキャナである。用紙の画像読取装置１１および第２の画像読取装置１２
は、中間搬送路Ｍを搬送される小切手Ｓの一面に光を照射し、反射した光を複数の受光素
子（光電変換素子）を介して受光し、受光した光を電気信号に変換して１ライン分の画像
を取得する。本実施形態では、画像読取装置１１は小切手Ｓの裏面画像を、第２の画像読
取装置１２は小切手Ｓの表面画像を１ラインずつ順次読み取ることにより、小切手Ｓの二
次元画像を取得する。
【００２８】
駆動ローラ１７の下方には、磁気インク文字を読み取る磁気インク文字読取装置（ＭＩ
ＣＲ（Magnetic Ink Character Reader））１３が設置されている。磁気インク文字読取
装置１３は、小切手Ｓの表面に印刷された磁気インク文字を読み取るためのセンサである
。この磁気インク文字読取装置１３は、中間搬送路Ｍを介して磁気インク文字読取装置１
３に対向配置された押付レバーによって小切手Ｓが磁気インク文字読取装置１３の表面に
押し付けられた状態で読み取りを実行する。この場合、小切手Ｓについては、口座番号な
どの情報が磁気インク文字で印刷された磁気インク文字記録領域を読み取る。
【００２９】
＜複合処理システムの内部処理について＞
次に複合処理システムの内部処理について図２を参照して説明する。図２は、複合処理
システムの内部処理を示す機能ブロック図である。複合処理システム１００は、ホストコ
ンピュータ３０と複合処理装置２０とを備えている。
【００３０】
（ホストコンピュータの内部処理について）
ホストコンピュータ３０は、主として、コマンド生成部３２と、読み取り情報判断部３
３と、送受信部３４と、を備えている。
【００３１】
コマンド生成部３２は、複合処理装置２０に各種動作を実行させるためのコマンドを生
成する。具体的には、小切手Ｓを搬送経路に沿って搬送させるために搬送ローラを駆動さ
せる搬送コマンド、画像読取装置１１,１２による画像読み取り処理を指示する読み取り
コマンド、磁気インク文字読取装置１３による磁気インク文字読み取り処理を指示する読
み取りコマンド等がある。また、コマンド生成部３２は、複合処理装置２０が備える不図
示のブザーを鳴動させるための音発生コマンドを生成する。
【００３２】
読み取り情報判断部３３は、複合処理装置２０で読み取られた読み取り情報の認識処理
を行う。具体的には、画像読取装置１１,１２によって読み取られたイメージデータの良
否判定（ＣＡＲ／ＬＡＲ、ＩＱＡなど）、ＯＣＲ認識処理、ＭＩＣＲ認識処理を行う。
【００３３】
送受信部３４は、複合処理装置２０との間でデータを送受信するためのインターフェー
スである。コマンド生成部３２が生成した各種コマンドを送信したり、複合処理装置２０
から読み取り情報を受信する。
【００３４】
本実施形態では、コマンド生成部３２は、複合処理装置２０から送信されるステータス
情報に応じて、あるいは読み取り情報判断部３３の判断結果に応じて音発声コマンドを生
成することができる。例えば、読み取り情報判断部３３がイメージデータを正常に読み取
れなかったと判断すると、読み取り処理が失敗したことをオペレータへ通知するためにブ
ザーを鳴動させる音発生コマンドを生成する。
【００３５】
また、複合処理装置２０から搬送部カバーオープンを知らせるステータス情報が送信さ
れ、ステータス情報に基づき、カバーがオープン状態であることをオペレータへ通知する
ためにブザーを鳴動させる音発生コマンドを生成する。なお、搬送部カバーがオープン状
態になると、複合処理装置２０のオンライン状態からオフライン状態へ変化する。
【００３６】
ここで、「ステータス情報」とは、複合処理装置２０がおかれている状態をホストコン
ピュータへ知らせるための情報である。例えば、紙ジャムが発生した場合は、紙ジャム発
生を知らせるステータス、搬送部２ｃを覆う搬送路カバー（不図示）がオープンしたこと
を検出した場合は、カバーオープンを知らせるステータス、小切手ＳがＡＳＦ３に装填さ
れ、装填されたことを検出した場合には、装填を知らせるステータスなどがある。
【００３７】
（複合処理装置の内部処理について）
複合処理装置２０は、主として、受信部２１、特殊コマンド解析部２２、受信バッファ
２３、コマンド解析部２４、音発生部２５、状態管理部２６、搬送制御部２７、読み取り
制御部２８、ステータス情報生成部２９及び送信部４０を備えている。
【００３８】
受信部２１は、ホストコンピュータ３０から送信されるデータを受信するためのインタ
ーフェースである。受信部２１が受信したデータが特殊コマンドであれば、特殊コマンド
解析部２２によって解析、処理される。一方、受信したデータが特殊コマンドでない場合
、つまり通常のコマンドである場合は、そのまま受信バッファ２３へ一時的に格納される
。コマンド解析部２４は、受信バッファ２３に格納されたデータを順次読み出して解析し
、解析結果に応じて状態管理部２６が各制御部に指示を行う。
【００３９】
なお、特殊コマンドは特殊コマンド解析部２２によって解析され実行されると、通常の
コマンドと同様に受信バッファ２３に一時的に格納される。ところが、コマンド解析部２
４が、受信バッファ２３から特殊コマンドを読み出しても、実行することなくごみデータ
として読み捨てるよう設定されている。
【００４０】
コマンド解析部２４がデータを解析した結果、受信したデータが搬送コマンドであれば
、状態管理部２６は搬送制御部２７に対して小切手Ｓの搬送処理を実行するよう指示する
。また、受信したデータが読み取りコマンドであれば、読み取り制御部２７に対して小切
手Ｓに記載されている表面画像、裏面画像及び磁気インク文字の読み取り処理を実行する
よう指示する。搬送制御部２７は、駆動ローラを駆動させるモータ等を含む搬送機構を制
御し、読み取り制御部２８は、画像読取装置１１,１２、磁気インク文字読取装置１３の
読み取り動作を制御する。
【００４１】
また、読み取り制御部２８は、画像読取装置１１,１２、磁気インク文字読取装置１３
によって読み取った読み取り情報を送信部４０を介してホストコンピュータ３０へ送信す
る。
【００４２】
状態管理部２６は、複合処理装置２０の全体の動作を統括制御する。各構成部を監視し
ており、変化があるとステータス情報生成部２９がステータス情報を生成する。生成され
たステータス情報は、送信部４０を介してホストコンピュータ３０へ送信される。
【００４３】
特殊コマンド解析部２２は、受信したデータに特定の文字列が含まれていれば、特殊コ
マンドと認識しその特殊コマンドの解析を行う。特殊コマンド解析の結果、音発生コマン
ドであると解析されると、音発生部２５がブザーを鳴動させる。受信したデータに特定の
文字列が含まれない場合は、通常のコマンドであるため特殊コマンド解析部２２はコマン
ド解析を行わずそのまま受信バッファ２３へ格納する。
【００４４】
一方、特殊コマンドに対して通常のコマンドを解析し処理するコマンド解析部２４は、
受信バッファ２３に受信したデータのみを順次解析する。このため、受信バッファ２３に
大量のデータが蓄積されている場合は、リアルタイムで実行したい処理を通常のコマンド
で指示することは難しい。この点、本実施形態の特殊コマンド解析部２２は、特定の文字
列を含む特殊コマンドだけは受信バッファ２３へ受信する前に解析し処理するので、優先
的に処理することができる。また、特殊コマンド解析部２２は、複合処理装置２０がオン
ライン状態であるかオフライン状態であるかにかかわらず、ホストコンピュータ３０から
送信される特殊コマンドを解析し処理することができる。したがって、複合処理装置２０
がオンライン状態であるかオフライン状態であるかにかかわらず、音発生コマンドを優先
的に実行することができる。
【００４５】
＜ブザー音発生処理について＞
次に、本実施形態の複合処理システム１００を構成する複合処理装置２０が行うブザー
音発生処理について説明する。図３は、ブザー音発生処理を説明するためのフローチャー
トである。
【００４６】
ここでは、複合処理装置２０のブザーを鳴動させる必要性がある要因として、搬送部２
ｃのカバーがオープン状態になったケースをあげて説明する。なお、搬送部２ｃのカバー
がオープン状態のときは、複合処理装置２０はオフライン状態となり、コマンド解析部２
４は受信バッファ２３に蓄積された通常のコマンドの解析を行わない。一方、特殊コマン
ドはオンライン状態であるかオフライン状態であるかにかかわらず、受信バッファ２３に
格納される前に特殊コマンド解析部２２によって解析し処理される。したがって、オンラ
イン状態であるかオフライン状態であるかにかかわらず、どのようなケースのときにブザ
ーを鳴動させる必要があるかを予め設定しておくことで、様々なケースに対応してブザー
を鳴動させることができる。
【００４７】
複合処理装置２０のブザーを鳴動させる必要性がある要因として、搬送部２ｃのカバー
がオープンになると（ステップＳ１１：Ｙｅｓ）、状態管理部２６はカバーオープンを検
知する。状態管理部２６からの指示に応じて、ステータス情報生成部２９がカバーオープ
ンを知らせるカバーオープンステータスを生成し、送信部４０を介して、ホストコンピュ
ータへ送信する（ステップＳ１２）。
【００４８】
カバーオープンステータスに基づき、コマンド生成部３２が特定の文字列を含む特殊コ
マンドを生成し、複合処理装置２０へ送信する（ステップＳ２１）。ここで、特定の文字
列としては、通常のコマンドとは異なるコマンドであることが明確に区別できる文字列で
あればよい。例えば、[ＤＬＥ  ＤＣ４  ｆｎ  ａ  ｎ  ｒ  ｔ１  ｔ２]のように、コマ
ンドの最初の文字列（ＤＬＥ）のように通常のコマンドの文字列とは異なる文字列にする
ことが考えられる。
【００４９】
複合処理装置２０の受信部２１は特殊コマンドを受信すると、特殊コマンド解析部２２
が、特殊コマンドの解析を行う。特殊コマンド解析部２２は、最初の文字列（ＤＬＥ）を
読み込むことで特殊コマンドであると判断する。そして、特殊コマンドが有する各パラメ
ータから音発生コマンドであるか否かを判断する（ステップＳ１３）。
【００５０】
特殊コマンドを構成する各パラメータは、以下の値を設定する。
ａ：ブザー音の種類、ｎ：ブザー音の音量、ｒ：ブザー音鳴動の回数、ｔ１：ブザー音
を鳴らす時間[ｔ１×１００ｍｓ]、ｔ２：ブザー音を止める時間[ｔ２×１００ｍｓ]
上記パラメータによれば、ブザー音の鳴動パターンを様々な形態に設定することができ
る。したがって、ステータス情報の種類に応じて、鳴動パターンを変えることが可能であ
る。
【００５１】
特殊コマンドが音発生コマンドであると解析されると（ステップＳ１３：Ｙｅｓ）、音
発生部２５が、複合処理装置２０のブザーを鳴動させる（ステップＳ１４）。音発生コマ
ンドによって指定されたブザー音を鳴動させた後、状態管理部２６がステータスに変化が
あることを検出すると（ステップＳ１５：Ｙｅｓ）、ステップＳ１１に戻って再びブザー
を発生させる要因が発生したか否かを判断する。
【００５２】
ここで、ステップＳ１５でステータスに変化があった場合とは、ブザー音を聞いたオペ
レータがカバーオープンに気付いてクローズした場合や、ブザー音に気付かなかったオペ
レータがカバーオープンのままＡＳＦ３に小切手Ｓを挿入してしまった場合等が挙げられ
る。
【００５３】
ブザー音を聞いたオペレータがカバーオープンに気づいてクローズした場合には、ステ
ップＳ１１：Ｎｏでオンライン状態へ移行し通常処理を行うことができる。
一方、ブザー音に気付かなかったオペレータがカバーオープンのままＡＳＦ３に小切手
Ｓを挿入してしまった場合には、複合処理装置２０は相変わらずオフライン状態にあり、
通常コマンドの解析を行うことができないため（ステップＳ１１：Ｙｅｓ）、ステータス
情報を再びホストコンピュータへ送信する（ステップＳ１２）。
【００５４】
以下、搬送部カバーがクローズされるまで、上記ステップを繰り返すことによって何度
でもブザーを鳴動させることができる。
【００５５】
上述したように、本実施形態によれば、複合処理装置がブザーを鳴動させる必要がある
状態に陥ると、コマンド生成部３２は、複合処理装置２０からのステータス情報に応じて
、特定の文字列（ＤＥＬ）を含む特殊コマンド（音発生コマンド）を生成する。複合処理
装置２０側では、特殊コマンド解析部２２がホストコンピュータから送信された特定の文
字列（ＤＥＬ）を含む特殊コマンドを音発生コマンドと認識すると、音発生部２５が優先
的にブザーを鳴動させる。
【００５６】
したがって、複合処理装置２０がオンライン状態にあるかオフライン状態にあるかにか
かわらず、ホストコンピュータ３０からの音発生コマンドに応じて優先的にブザーを鳴動
させることができる。
【００５７】
なお、ブザー音の鳴動パターンはさまざまに変更可能であり、ステータス情報の種類に
応じて設定すれば、あらゆる状況においてもブザーを鳴動させて、オペレータへ複合処理
装置２０の状態を通知することが可能となる。
【符号の説明】
【００５８】
２０：複合処理装置、２１：受信部、２２：特殊コマンド解析部、２３：受信バッファ、
２４：コマンド解析部、２５：音発生部、２６：状態管理部、２７：搬送制御部、２８：
読み取り制御部、２９：ステータス情報生成部、４０：送信部、３０：ホストコンピュー
タ、３２：コマンド生成部、３３：読み取り情報判断部、３４：送受信部
【図１】
2010231816.tif 000003
【図２】
2010231816.tif 000004
【図３】
2010231816.tif 000005
【手続補正書】
【提出日】平成22年8月4日(2010.8.4)
【手続補正１】
【補正対象書類名】特許請求の範囲
【補正対象項目名】全文
【補正方法】変更
【補正の内容】
【特許請求の範囲】
【請求項１】
ホストコンピュータに接続可能な媒体処理装置であって、
音を発生させる音発生部と、
オフライン状態であっても、前記ホストコンピュータから特定の文字列を含む音発生コマンドを受信し、他のコマンドの処理に優先して、前記音発生コマンドに基づき前記音声発生部で音を発生する処理を行う制御部と、を備えることを特徴とする媒体処理装置。
【請求項２】
前記ホストコンピュータから受信した前記音発生コマンドを含むコマンドを格納する受信バッファを備え、
前記制御部は、前記音発生コマンドが前記受信バッファに格納される前に処理を行い、前記受信バッファに格納された後の前記音発生コマンドの処理は行なわず、破棄することを特徴とする請求項１に記載の媒体処理装置。
【請求項３】
前記制御部は、前記オフライン状態となる要因が発生したとき、前記オフライン状態にすると共に、前記オフライン状態となる要因の情報を前記ホストコンピュータへ送信することを特徴とする請求項１または２に記載の媒体処理装置。
【請求項４】
ホストコンピュータに接続可能な媒体処理装置の制御方法であって、
前記媒体処置装置がオフライン状態であっても、前記ホストコンピュータから特定の文字列を含む音発生コマンドを受信し、
他のコマンドの処理に優先して、前記音発生コマンドに基づき音声発生部で音を発生する処理を行うことを特徴とする媒体処理装置の制御方法。
【請求項５】
前記ホストコンピュータから受信した前記音発生コマンドを含むコマンドを受信バッファに格納する際、
前記コマンドが前記音発生コマンドである場合には、前記受信バッファに格納する前に処理を行い、前記受信バッファに格納した後は処理を行なわず、破棄することを特徴とする請求項４に記載の媒体処理装置の制御方法。
【請求項６】
前記オフライン状態となる要因が発生したとき、前記オフライン状態にすると共に、前記オフライン状態となる要因の情報を前記ホストコンピュータへ送信することを特徴とする請求項４または５に記載の媒体処理装置の制御方法。
【手続補正３】
【補正対象書類名】明細書
【補正対象項目名】００１９
【補正方法】変更
【補正の内容】
【００１９】
上記構成によれば、一度オフライン状態になって音発生コマンドに応じて音を発生しても、その後、複合処理装置のステータスに変化が生じればステータス情報を生成し、それをホストコンピュータへ送信すれば、ホストコンピュータは再び音発生コマンドを生成して複合処理装置へ送信する。このため、複合処理装置はオフライン状態であってもオンライン状態であっても繰り返し音を発生させることが可能である。
また、ホストコンピュータに接続可能な媒体処理装置であって、
音を発生させる音発生部と、
オフライン状態であっても、前記ホストコンピュータから特定の文字列を含む音発生コマンドを受信し、他のコマンドの処理に優先して、前記音発生コマンドに基づき前記音声発生部で音を発生する処理を行う制御部と、を備えることが好ましい。
前記ホストコンピュータから受信した前記音発生コマンドを含むコマンドを格納する受信バッファを備え、
前記制御部は、前記音発生コマンドが前記受信バッファに格納される前に処理を行い、前記受信バッファに格納された後の前記音発生コマンドの処理は行なわず、破棄することが好ましい。
前記制御部は、前記オフライン状態となる要因が発生したとき、前記オフライン状態にすると共に、前記オフライン状態となる要因の情報を前記ホストコンピュータへ送信することが好ましい。
ホストコンピュータに接続可能な媒体処理装置の制御方法であって、
前記媒体処置装置がオフライン状態であっても、前記ホストコンピュータから特定の文字列を含む音発生コマンドを受信し、
他のコマンドの処理に優先して、前記音発生コマンドに基づき音声発生部で音を発生する処理を行うことが好ましい。
前記ホストコンピュータから受信した前記音発生コマンドを含むコマンドを受信バッファに格納する際、
前記コマンドが前記音発生コマンドである場合には、前記受信バッファに格納する前に処理を行い、前記受信バッファに格納した後は処理を行なわず、破棄することが好ましい。
前記オフライン状態となる要因が発生したとき、前記オフライン状態にすると共に、前記オフライン状態となる要因の情報を前記ホストコンピュータへ送信することが好ましい。